(57)【要約】【課題】  ほぼ平面な投影面に対して奥行き感がある光を映し出すことができる照明装置を提供する。【解決手段】  照明装置３１は、ほぼ透明な導光部材３５であって、この導光部材３５の一方の面には一定方向に沿って延びる複数のプリズム構造が形成されており、他方の面は平坦になっている導光部材３５と、所定以上の光吸収率を有する光吸収層と、導光部材３５から所定距離離れた位置に、かつ導光部材と光吸収層との間に配置され、導光部材の入射面に向けて光を照射するＬＥＤアレイ３９，４１と、を備える。【選択図】  図３
2019121511.tif 000002
【特許請求の範囲】
【請求項１】
ほぼ透明な導光部材であって、この導光部材の一方の面には一定方向に沿って延びる複数のプリズム構造が形成されており、他方の面は平坦になっている導光部材と、
所定以上の光吸収率を有する光吸収層と、
前記導光部材から所定距離離れた位置に、かつ前記導光部材と前記光吸収層との間に配置され、前記導光部材の入射面に向けて光を照射する点光源と、を備える照明装置。
【請求項２】
前記導光部材の両方の主面は、平坦な面である、請求項１に記載の照明装置。
【請求項３】
前記導光部材の両方の主面は湾曲した面である、請求項１に記載の照明装置。
【請求項４】
前記湾曲した面は屈曲点を有さない、請求項３に記載の照明装置。
【請求項５】
前記複数のプリズムは、前記導光部材の入射側の面にのみ形成されている、請求項１乃至４の何れか１項に記載の照明装置。
【請求項６】
前記点光源及び光吸収層は、閉鎖されたコンポーネント内に配置されており、当該コンポーネントにおける出射面が、前記導光部材によって形成されている、請求項１乃至５の何れか１項に記載の照明装置。
【請求項７】
前記導光部材と前記光吸収層の間には、反射部材が設けられていない、請求項１乃至６の何れか１項に記載の照明装置。
【発明の詳細な説明】
【技術分野】
【０００１】
本発明は、照明装置に関し、特に点光源を用いて光の奥行き感を実現可能な照明装置に関する。
【従来技術】
【０００２】
従来から、点光源を用いた照明装置として特許文献１に記載された照明装置が知られている。
【先行技術文献】
【特許文献】
【０００３】
【特許文献１】米国特許出願公開第２０１７／００５９１１９号明細書
【０００４】
特許文献１に記載された照明装置は、光透過性チューブ内のキャビティに光源を配置し、光透過性チューブの表面に設けられた構造化物によって光源からの光を様々な方向に反射・屈折させる照明装置が記載されている。
【発明の開示】
【発明が解決しようとする課題】
【０００５】
ところで、特許文献１に記載されたような、装飾用の照明装置については、デザイン性の向上の観点から様々な光の演出効果が期待されている。
【０００６】
装飾用の照明装置において新たな光の演出効果を見出すべく、鋭意研究の結果、発明者等は新たな光の演出効果を見出した。即ち、発明者等の知見によれば、照明装置の投影面に投影された点光源からの光の線をカーブさせたり、光の線の明るさを変化させたりすることで、ほぼ平面である投影面に対して奥行き感がある光の線を映し出せることが判明した。
【０００７】
そして本発明は、上記新たな知見に基づくものであり、ほぼ平面な投影面に対して奥行き感がある光を映し出すことができる照明装置を提供することを目的とする。
【課題を解決するための手段】
【０００８】
上記課題を解決するために、照明装置は、ほぼ透明な導光部材であって、この導光部材の一方の面には一定方向に沿って延びる複数のプリズム構造が形成されており、他方の面は平坦になっている導光部材と、所定以上の光吸収率を有する光吸収層と、導光部材から所定距離離れた位置に、かつ導光部材と光吸収層との間に配置され、導光部材の入射面に向けて光を照射する点光源と、を備える。
【０００９】
発明者等の知見によれば、導光部材より所定距離離れた位置から、片側にだけ複数のプリズムが形成された導光部材の入射面に対して点光源からの光を照射すると、導光部材の出射面に、奥行き感のある光の線が表現できることが判明した。そしてこの光の線は、出射面側から見る角度によって、線の明るさが変化したり、線がカーブして見えるため、視認者に対して照明装置内に奥行きがあるかのような感覚を与えることができる。従って、上述のように構成された本発明によれば、点光源から出射光を導光部材の入射面に入射させ、導光部材に設けられた複数のプリズムによって光を反射・屈折させることで、導光部材の出射面に光の線を映しだすことができる。そして映し出された光の線は、出射面側から見る角度によって線がカーブして見えたり、線の明るさが変化して見えたりする。また、導光部材から見て点光源の裏側に光吸収層を配置することにより、点光源からの光が照明装置内部で乱反射して導光部材に入射するのを抑制し、これにより導光部材の出射面に投影されている光の線の明るさの変化や、線のカーブがより認識し易くなる。また、このように構成された本発明によれば、導光部材の出射面に映しだされた光が、光を見る角度によって変化するようにすることで、光に奥行きがあるような感覚を与えることができるため、照明装置自体の厚さを厚くして実際に光の線に奥行きを持たせる必要がない。従って、本発明によれば、照明装置の厚さを薄くしつつ、実際の照明装置の厚さよりも奥行きがあるような奥行き感を与えることができる。
【００１０】
また、本発明において好ましくは、導光部材の両方の主面は、平坦な面、又は湾曲した面である。
【００１１】
このように構成された本発明によれば、導光部材の主面の形状を変化させることによって視認者から見える光の線の明るさや形状を変化させることができる。
【００１２】
この場合において、湾曲した面は、屈曲点を有さないことが好ましい。
【００１３】
このように構成された本発明によれば、湾曲した主面が屈曲点を有さない。ここで屈曲点を有さないとは、その面によって描かれる曲線を表す代数方程式の微分値が連続していることを意味する。そしてこのような屈曲点を有さない湾曲した主面を用いることにより、導光部材の出射面に映し出される光の線を、途切れのない連続した線とすることができる。
【００１４】
また、本発明において好ましくは、複数のプリズムは、導光部材の入射側の面にのみ形成されている。
【００１５】
発明者等の知見によれば、複数のプリズムを導光部材の両面に形成した場合、入射側の面にのみ形成した場合、及び出射側の面にのみ形成した場合のうち、入射側の面にのみ形成した場合が最も光の線が明瞭に見えることが判明した。よって上述のような構成によれば、導光部材の出射面に投影される光の線をより明瞭にすることができる。
【００１６】
また、本発明において好ましくは、点光源及び光吸収層は、閉鎖されたコンポーネント内に配置されており、当該コンポーネントにおける出射面が、導光部材によって形成されている。
【００１７】
このように構成された本発明によれば、閉鎖されたコンポーネント内に光源及び光吸収層を配置することで、外光が導光部材の入射面に入射するのを防止することができる。これにより、導光部材の出射面に投影される光の線をより明瞭にすることができる。
【００１８】
また、本発明において好ましくは、導光部材と光吸収層の間には、反射部材が設けられていない。
【００１９】
このように構成された本発明によれば、点光源から出射された直接光のみが導光部材の入射面に入射するため、出射面に投影される光の線をより明瞭にすることができる。
【発明の効果】
【００２０】
以上のように、本発明によれば、ほぼ平面な投影面に対して奥行き感がある光を映し出すことができる。
【図面の簡単な説明】
【００２１】
【図１】本発明の第１の実施形態にかかる照明装置を適用した車両の斜視図である。
【図２】同照明装置を適用した自動車の車室内の斜視図である。
【図３】同照明装置の分解斜視図である。
【図４】同照明装置の導光部材の要部を拡大した断面図である。
【図５】同導光部材の正面図である。
【図６】本発明の第２の実施形態にかかる照明装置の分解斜視図である。
【図７】本発明の実施例にかかる照明装置を撮影した画像である。
【図８】本発明の実施例にかかる照明装置を撮影した画像である。
【図９】本発明の実施例にかかる照明装置を撮影した画像である。
【図１０】比較例にかかる照明装置を撮影した画像である。
【発明を実施するための形態】
【００２２】
以下、本発明の実施形態について詳述する。なお、以下では、本発明にかかる照明装置を自動車に適用した例を挙げて照明装置の詳細を説明するが、本発明にかかる照明装置は、装飾用の照明装置として、自動車の他に、建物の内装や外装、電化製品の表面、展示会のディスプレイ等、あらゆる場面に適用することができる。そして本発明の利点の一つは、照明装置を薄型にしつつ、実際の照明装置の厚さに比べて深い奥行き感を与えることであるが、照明装置の厚さは、その用途に応じて適宜決定することができる。照明装置の厚さとしては、例えばスマートフォン等の携帯型機器に適用する場合には、約５ミリ、ＨＤＤレコーダや冷蔵庫等の据え置き型機器に適用する場合には約１０ミリ、車の外装に適用する場合には部位に応じて１０〜３０ミリ、そして、壁や柱等の建材に適用する場合には部位に応じて５０〜１００ミリとすることができる。
【００２３】
図１は、第１の実施形態にかかる照明装置を適用した車両の斜視図であり、図２は、照明装置を適用した自動車の車室内の斜視図である。
【００２４】
図１に示すように、第１の実施形態にかかる照明装置１は、例えばＥＶ車のようなラジエータを有していない車両３のフロントグリル部分に適用することができる。照明装置１を適用することができる位置としては、図１に示すような車両のフロント部分に加え、車両のサイドドア、トランクパネル、テールゲート、フェンダー等の外装部分がある。
【００２５】
また、図２に示すように照明装置１を車両（ＥＶ車に加え、エンジン車も含む）の内装部分に適用することも可能である。照明装置を適用可能な内装部分としては、インストルメントパネル周辺、車室のルーフトリム、各ピラーの車室内側の表面等の内装部分がある。
【００２６】
なお、以下の例では照明装置を車両のフロントグリル部分に適用する場合について詳述する。
【００２７】
図３は、第１の実施形態にかかる照明装置の分解斜視図である。図３に示すように、照明装置３１は、筐体３３と、導光部材３５と、カバー３７とを備えている。そして照明装置３１は、一体のコンポーネントとしてＥＶ車のフロントグリル部分に取り付けられる。車両３のフロントグリル部分に取り付けられた照明装置３１は、車両のバッテリーと電気的に接続され、バッテリーからの電力を用いて駆動する。
【００２８】
筐体３３は、一方の主面側が開いており、かつ適用される車両の車幅方向に長い箱型として形成されている。筐体３３の内部空間は、光源を配置し、かつ光源から出射された光が移動するためのキャビティを形成している。そして筐体３３は、導光部材３５と共に閉鎖された空間を形成し、外部からの光がキャビティ内に進入しないように構成されている。なお、筐体３３は完全に閉鎖された空間を形成していなくてもよく、この場合、筐体３３内のキャビティがコンポーネントに対して十分に大きくし、外光が導光部材３５の入射面４３に入射しないようにすれば良い。
【００２９】
筐体３３の内部には、光源としてＬＥＤアレイ３９，４１が配置されている。筐体３３の内部の表面、即ちキャビティを形成している表面は、全面又は一部が、ＬＥＤアレイ３９，４１から出射された光を吸収するよう、所定の光吸収率を有する材料によって形成されるか、黒色等の光吸収率が高い色が適用されていることが好ましい。キャビティの表面を形成する材料の光吸収率は、筐体３３内部においてＬＥＤアレイ３９，４１からの光が乱反射するのを抑制できれば良い。より具体的には、キャビティの表面を形成する材料の光吸収率は、導光部材３５の出射面に投影される光の輝度が、キャビティ内部の輝度に対して２倍以上、望ましくは１０倍以上になるよう選択されることが好ましい。
【００３０】
なお、本実施形態では、閉鎖された空間である筐体３３のキャビティ内にＬＥＤアレイ３９，４１を配置し、さらに筐体３３の内部表面を光吸収性の材料によって形成することとしている。しかしながら、本発明によれば、筐体３３における最も大きな面積を占める、導光部材３５と対向する面が光吸収性の材料によって形成されていれば導光部材３５の出射面に明瞭な光の線を投影することができる。そして、本発明でいうところの点光源が「導光部材と光吸収層との間に配置され」ているとは、筐体のキャビティを形成する複数の面のうち、導光部材と対向する面と、導光部材との間に光源が配置されていることを意味する。また、このとき光源からの光が導光部材の入射面に直接照射されれば良く、光源は、導光部材の主面方向から見たときに導光部材及び／又は筐体における導光部材と対向する面と必ずしも重複した位置に配置されている必要はない。即ち、「導光部材と光吸収層との間に配置され」ているとは、照明装置を光の出射方向と直交する側面から見たときに、光源が導光部材と、筐体における導光部材と対向する面との間に配置されていれば良いことを意味する。
【００３１】
また、照明装置３１は、キャビティ内部における光の乱反射を抑制するために、一般的な照明装置において多用されている反射部材を有していないことが好ましい。
【００３２】
導光部材３５は、筐体３３のキャビティ内に配置され、ＬＥＤアレイ３９，４１から出射された光を一方の入射面４３から入射し、光を反射・屈折させて他方の出射面４５から出射するほぼ透明なプリズムシートによって構成されている。このとき導光部材３５は、ＬＥＤアレイ３９，４１を構成するＬＥＤ素子とは接触しないようにＬＥＤ素子からは所定の距離を持って配置される。図３に示す例では、導光部材３５は筐体３３のキャビティに合わせて車幅方向に長い長方形の板形状を有しており、車幅方向から見たときに高さ方向中央が車両前方に向けて凸な湾曲断面を有している。
【００３３】
なお、本実施形態では導光部材３５が、車両正面方向に凸な湾曲した断面を有しているものとするが、導光部材３５の断面形状としては、屈曲点を有さない形状であればどのような形状であっても良い。ここで屈曲点を有さない、とは、断面が湾曲していない直線形状の場合、及び断面が湾曲している場合には断面によって描かれる線を表す代数方程式の微分値が連続していることを意味する。そして屈曲点を有さない断面形状の導光部材３５は、任意の断面を見たときに角が形成されていないこととなる。そしてこのような屈曲点を有さない導光部材３５を用いることにより、導光部材３５の出射面に映し出される光の線を、照明装置１の車幅方向全域に渡って途切れのない連続した線とすることができる。
【００３４】
図４は、導光部材の要部を拡大した断面図を示す。図４に示すように、導光部材３５としては、一方の主面に、三角形断面形状を有する複数のプリズム４７が配置されたプリズムシートを用いることが好ましい。複数のプリズム４７は、所定のピッチでほぼ等間隔に配置されており、プリズムシートの端から端まで一様な断面形状を有している。導光部材３５のプリズム４７の延びる方向は、車両の車幅方向又は高さ方向（垂直方向）の何れであっても良く、好ましくはＬＥＤアレイ３９，４１の配列方向と平行にされる。三角形断面のプリズム４７は、頂角が３０〜１２０度、隣接するプリズム４７の頂部同士の間隔（プリズムピッチ）が１〜５０００μｍであることが好ましい。また、プリズム４７は、頂部が所定の角度をなしているものではなく、頂部に所定の曲率を有していてもよい。また、プリズム４７の傾斜面は、プリズムシートを主面側から見たときに、ＬＥＤアレイ３９，４１を構成するＬＥＤ素子の直径よりも小さい幅を有していることが好ましい。また、プリズム４７の形状としては、図４に示すような三角形断面の他に、半円形の断面や多角形断面を用いてもよい。また、プリズム４７の断面形状は、導光部材３５全体にわたって同一の大きさ及び形状を有していてもよく、また、異なる大きさ及び形状を有していてもよい。全てのプリズム４７の断面形状を同一の大きさ及び形状とすることにより、出射面４５に投影される光の線がより明瞭になる。一方で、プリズム４７の断面形状を導光部材３５の位置に応じて変化させることにより、出射面４５に投影される光の線が柔らかくなる傾向にある。また、本実施形態では、プリズムが形成されている面を、光の入射面４３として用いているが、プリズムが形成されていない平坦な面を、光の入射面として用いてもよい。ただし、発明者等の知見によれば、プリズム面を入射面として用いた方が、出射される光の線がより明瞭に見えることが判明した。従って、プリズム面を入射面として用いる方がより好ましい。
【００３５】
導光部材３５として用いることができるプリズムシートとしては、３Ｍ（商標）社製プリズムフィルム（輝度上昇フィルム）「ＢＥＦ  ＩＩ  ９０／５０」、「ＢＥＦ  ＩＩ  １００／３１」、「ＴＲＡＦ  ＩＩ」、「ＲＢＥＦ  ９０／５０−１２Ｔ」、又は「ＢＥＦ  ＩＩＩ  ９０／５０Ｔ」がある。「ＢＥＦ  ＩＩ  ９０／５０」は、プリズムシートの一方の面に二等辺三角形断面のプリズムが複数個並列配置されたものである。また、「ＢＥＦ  ＩＩ  ９０／５０」のプリズムの二等辺三角形断面の頂角は９０度であり、隣接するプリズムの頂部の距離（プリズムピッチ）は、５０μｍであり、プリズムフィルムの厚さ（プリズムフィルムの平坦面からプリズム面のプリズム頂部までの距離）は１５５μｍである。「ＢＥＦ  ＩＩ  １００／３１」は、プリズムシートの一方の面に二等辺三角形断面のプリズムが複数個並列配置されたものである。また、「ＢＥＦ  ＩＩ  １００／３１」のプリズムの二等辺三角形断面の頂角は１００度であり、プリズムピッチは、３１μｍであり、プリズムフィルムの厚さは１４５μｍである。また、「ＴＲＡＦ  ＩＩ」は、プリズム面に複数の平行プリズムが配置されたプリズムシートであり、各プリズムの幅方向断面形状は、頂角が７０度の２等辺三角形である。また、「ＴＲＡＦ  ＩＩ」のプリズムピッチは３１μｍ、プリズムフィルムの厚さは１４５μｍである。「ＲＢＥＦ  ９０／５０−１２Ｔ」は、プリズムシートの一方の面に、頂部に曲率を有する凸形状のプリズムが複数個並列配置されたものである。また、「ＲＢＥＦ  ９０／５０−１２Ｔ」のプリズムの傾斜面がなす角度は９０度であり、プリズムピッチは５０μｍであり、プリズムの頂部の曲率は１２μｍであり、プリズムフィルムの厚さは１５５μｍである。「ＢＥＦ  ＩＩＩ  ９０／５０  Ｔ」は、プリズムシートの一方の面にランダムな大きさの二等辺三角形のプリズムが並列配置されたものである。また、「ＢＥＦ  ＩＩＩ  ９０／５０  Ｔ」のプリズムの二等辺三角形の頂角は９０度であり、プリズムピッチは平均５０μｍであり、プリズムフィルムの厚さは１５５μｍである。そして「ＢＥＦ  ＩＩＩ  ９０／５０  Ｔ」では、上記頂角及びプリズムピッチの条件を満たす二等辺三角形状のプリズムが、ランダムに配置されている。
【００３６】
カバー３７は、例えば照明装置１を車両の外装部分に用いる際に、導光部材３５等、照明装置３１の構成部品の破損を防ぐために用いられるものである。導光部材３５に投影された光の線をそのまま照明装置３１外部に投影できるよう、透明であることが好ましい。照明装置３１を車両３の内装部分に用いる場合には、カバー３７を設けなくても良く、また、車両３の内装トリムに透過性を持たせて導光部材３５に投影された光を車室内に透過させるようにしてもよい。
【００３７】
ＬＥＤアレイ３９，４１は、複数のＬＥＤ素子を配列して形成されており、車両３のバッテリーと電気的に接続されている。図３に示す実施形態では、筐体３３のキャビティの車幅方向両側にそれぞれ一列のＬＥＤアレイ３９，４１が配置されている。そしてＬＥＤアレイ３９，４１の各ＬＥＤ素子は、導光部材３５の入射面４３と接触しないよう、導光部材３５から所定の距離だけ離れて配置されている。そしてＬＥＤアレイ３９，４１から出射された光は、導光部材３５の車幅方向端部付近から導光部材３５に入射し、導光部材３５にて反射・屈折されて導光部材３５の出射面側に光の線として投影される。ＬＥＤアレイ３９，４１は、それぞれ独立して点灯制御されてもよく、また、一緒に点灯制御されてもよい。
【００３８】
なお、本実施形態では、複数個のＬＥＤ素子を配列したＬＥＤアレイを２個準備し、筐体３３のキャビティ内に配置することとしているが、ＬＥＤアレイの数、及びＬＥＤアレイのＬＥＤ素子の数は適宜変更可能である。詳細は後述するが、本実施形態による照明装置３１では、１つのＬＥＤ素子によって、導光部材３５の出射面に１本の光の線を映し出す。従って、ＬＥＤアレイを構成するＬＥＤ素子の数を増やせば出射面に映し出される光の線の数が増え、反対にＬＥＤ素子の数を減らせば出射面に映し出される光の線の数が減る。また、ＬＥＤアレイをキャビティの車幅方向両側に配置する場合には、車両３を正面から見て左側から右側に向けて延びる線の数は、左側に配置されたＬＥＤアレイのＬＥＤ素子の数によって決定され、ＬＥＤ素子の数は、１つ以上の任意の数として設定することができる。なお、厳密にはＬＥＤ素子が１つの場合には「ＬＥＤアレイ」を構成しないが、説明の便宜上、本明細書ではＬＥＤ素子が１つの場合でも「ＬＥＤアレイ」と総称するものとする。
【００３９】
また、ＬＥＤアレイ３９，４１を配置する位置としては、キャビティの車幅方向両側に限らず、キャビティの上端及び下端、キャビティの中央等、任意の位置を選択することができる。詳細は照明装置３１の光学原理と合わせて説明するが、照明装置３１によって導光部材３５に映し出される光の線は、導光部材３５の背面にあるＬＥＤアレイ３９，４１がある位置を基点として、プリズム４７の延びる方向と直交する方向に延び、ＬＥＤアレイ３９，４１から遠ざかるにつれて線の明るさが小さくなる。従って、ＬＥＤアレイ３９，４１を配置する位置及び数は、導光部材３５の出射面に映し出したい線の位置及び形状に応じて適宜選択することができる。
【００４０】
ＬＥＤアレイ３９，４１に用いられるＬＥＤ素子は、その出射光が拡散性を有することが好ましい。ＬＥＤ素子の出射光の拡散角度を大きくすることにより導光部材３５の出射面に映し出される光の線の長さが長くなり、拡散角度を小さくすることにより光の線の長さが短くなる。
【００４１】
なお、本実施形態では、点光源としてＬＥＤ素子を用いることとしているが、ある程度の拡散角度を有する光を出射可能な点光源であればどのようなものを用いてもよい。
【００４２】
以下、照明装置３１の光学原理について詳述する。導光部材３５のプリズム４７が形成されている入射面４３側にＬＥＤ素子の光を当てると、光は屈折して導光部材３５内部に進入する。そして導光部材３５内部の光は、導光部材３５内部で反射、屈折し、出射面４５側から出射する。このとき導光部材３５からの出射光は、プリズム４７が延びる方向には広がらず、プリズム４７が延びる方向と直交する方向にのみ広がる。そしてこのときの光の広がりは、ＬＥＤ素子の光の拡散角度範囲内にあるプリズム４７の数、より具体的にはプリズム４７の傾斜面の数に応じて決定される。即ち、出射光の角度が広角なＬＥＤ素子を使用したり、ＬＥＤ素子をプリズム４７から離してＬＥＤ素子の光の拡散角度範囲内にあるプリズム４７の数を増やしたり、ＬＥＤ素子を導光部材３５に対して傾斜させたりすることで光の拡散角度範囲内にあるプリズム４７の数を増やすと、光が入射するプリズム４７の数が増える。そして光が入射するプリズム４７の数が増えて、ＬＥＤ素子から離れた位置にあるプリズム４７にまで光が入射すると、導光部材３５の出射面４５に投影される光の線の長さが長くなる。反対に、出射光の角度が小さいＬＥＤ素子を使用したり、ＬＥＤ素子をプリズム４７に近付けたりすることで、光の拡散角度範囲内にあるプリズム４７の数を減らすと、光が入射するプリズム４７の数が減る。そして光が入射するプリズム４７の数が減って、ＬＥＤ素子の近くにあるプリズム４７にだけ光が入射すると、導光部材３５の出射面４５に投影される光の線の長さが短くなる。
【００４３】
そしてこのようにして出射面４５に投影される光は、点光源であるＬＥＤ素子を実質的に映し出すこととなるが、プリズム４７を連続させ、かつプリズム４７の傾斜面の幅をＬＥＤ素子の幅よりも小さくすることで、出射面４５にＬＥＤ素子が連続的に映し出され、光の線を形成する。
【００４４】
上述したように本発明によれば、湾曲断面を有する導光部材３５に加えて、平坦な導光部材を用いても良いため、以下では両方の導光部材の作用について詳述する。なお説明の便宜上、以下の説明では平坦な導光部材も「導光部材３５」と総称するものとする。
【００４５】
図５は、導光部材の正面図である。平坦な導光部材３５に対してＬＥＤ素子の光を照射し導光部材３５を正面から見ると、図５（ａ）に示すように、導光部材３５の出射面４５に投影される光の線Ｌ１は、プリズム４７が延びる方向（図５における上下方向）と直交する方向に延び、かつＬＥＤ素子の位置から離れるにしたがって光が弱くなるように見える。したがって光の線Ｌ１の視認者に対して、ＬＥＤ素子の位置から離れるにつれてＬＥＤ素子の両側に奥行きがあるような感覚を与えることができる。
【００４６】
また、ＬＥＤ素子の位置を変えずに導光部材３５を見る位置を、図５（ａ）に対してプリズム４７が延びる方向に沿って移動させると、移動した方向に向けて光の線Ｌ２が湾曲し、かつＬＥＤ素子の位置から離れるにしたがって光が弱くなるように見える。図５（ｂ）は、導光部材３５を見る位置を図５（ａ）に対して上方向に移動した場合を示す。この場合も、光の線Ｌ２の視認者に対して、ＬＥＤ素子の位置から離れるにつれてＬＥＤ素子の両側に奥行きがあるような感覚を与えることができる。そしてこの場合には、光の線Ｌ２が湾曲して見えるため、導光部材３５をＬＥＤ素子の正面から見た場合と比較してより奥行き感が強くなる。
【００４７】
また、ＬＥＤ素子の位置を変えずに導光部材３５を見る位置を、図５（ａ）に対してプリズム４７が延びる方向と直交する方向に沿って移動させると、光の線Ｌ３は湾曲しないが光の線の明るさの変化率が異なって見える。図５（ｃ）は、導光部材３５を見る位置を図５（ａ）に対して左方向に移動した場合を示す。左方向へ移動した場合、図５（ｃ）に示すように、移動した方向への光の線Ｌ３の明るさの変化率が、移動した方向とは反対方向への光の線Ｌ３の明るさの変化率よりも大きくなる。この場合、ＬＥＤ素子の位置から手前側の奥行き感を強く、ＬＥＤ素子から奥側の奥行き感を弱くすることができる。
【００４８】
また、導光部材３５を湾曲させた場合、光源の正面から、即ち、図５（ａ）と同じ角度で見ると、光の線は図５（ａ）と同様に、プリズム４７が延びる方向と直交する方向に延び、かつＬＥＤ素子の位置から離れるにしたがって光が弱くなるように見える。また、湾曲させた導光部材３５を図５（ｂ）と同じ角度で見ると、移動した方向に向けて光の線が湾曲し、かつＬＥＤ素子の位置から離れるにしたがって光が弱くなるように見える。そしてこのときの光の線の湾曲具合は、平坦な導光部材３５を用いた場合よりも大きくなり、より強い奥行き感を演出することができる。また、湾曲させた導光部材３５を図５（ｃ）と同じ角度で見ると、移動した方向への光の線Ｌ３の明るさの変化率が、移動した方向とは反対方向への光の線Ｌ３の明るさの変化率よりも大きくなる。そしてこのときの光の線の湾曲具合も、平坦な導光部材３５を用いた場合よりも大きくなり、より強い奥行き感を演出することができる。
【００４９】
そして照明装置３１では、湾曲した導光部材３５を用いることで、上述した原理に基づいて導光部材３５の出射面４５に投影される光の線の明るさや湾曲を変化させ、照明装置３１の奥行き感を表現することができる。また、照明装置３１のように光源としてＬＥＤアレイを用いて複数の光の線を出射面４５に投影すると、光の線の明るさや光の線の湾曲程度が隣接する線同士で異なってくるため、より演出効果を高めることができる。
【００５０】
図６は、本発明の第２の実施形態による照明装置の分解斜視図である。図７に示すように、照明装置７１は、筐体７３と、導光部材７５とを備える。筐体７３は、開口の形状以外は筐体３３と同一の構成を有しており、内部のキャビティに図示せぬ外部電源と接続されたＬＥＤアレイ７７，７９が配置されている。なお、第２の実施形態による照明装置７１は、主として内装用として用いるものであるから導光部材を保護するためのカバーを有していない。しかしながら、必要に応じて導光部材７５を光透過性のカバーで覆ってもよい。
【００５１】
第１の実施形態による照明装置３１の導光部材３５とは異なり、第２の実施形態による照明装置７１の導光部材７５は、プリズムが延びる方向に沿って連続した湾曲形状を有し、かつその側断面形状は、全ての断面において異なっている。このような複雑な断面形状を有する照明装置を用いることにより、より複雑な光の線を導光部材の出射面に投影することができ光の線による、より複雑な奥行き感を演出することができる。
【００５２】
上述した第１及び第２の実施形態では、導光部材と、ＬＥＤ素子との位置関係として、導光部材の入射面がＬＥＤ素子からの出射光の中心線と直交するように配置することとした。しかしながら、ＬＥＤ素子の出射光の中心線と、導光部材の入射面との角度は直角に限られるものではなく、ＬＥＤ素子の出射光の角度は適宜変更可能であり、ＬＥＤ素子の出射光の大部分が入射面に照射されればよい。そしてＬＥＤ素子の出射光に角度を付けることにより、ＬＥＤ素子から出射した光が、より遠くにあるプリズムに到達し、垂直に入射させた場合と比較して光の線がより遠くまで延び、垂直に入射させた場合とは異なる奥行き感を与えることができる。
【００５３】
図７乃至図９は、本発明の実施例にかかる照明装置を撮影した画像を示す。
【００５４】
図７は、導光部材として平坦な「ＢＥＦ  ＩＩ  １００／３１」を用い、ＬＥＤアレイとして６個のＬＥＤ素子を配列したものを用いたものを撮影したものである。この例では、導光部材のプリズムが垂直方向に延びるように導光部材を配置した。筐体のキャビティを形成する面の全面には黒色の紙を貼り付けた。また、ＬＥＤ素子と、導光部材との距離を５０ｍｍ、又は１００ｍｍに設定し、導光部材を正面（ＬＥＤアレイの垂直方向中央の位置、かつＬＥＤアレイとカメラの位置を結ぶ線が導光部材と直交する位置）から、正面より３０度上方に移動した位置から、及び正面から３０度上方に移動して更に水平方向に移動した位置から、の３つの視点から導光部材の出射面を撮影した。
【００５５】
図８は、導光部材として出射面側に向けて凸形状を与えた「ＢＥＦ  ＩＩ  １００／３１」を用いたものであり、図９は、導光部材として入射面側に向けて凸形状を与えた「ＢＥＦ  ＩＩ  １００／３１」を用いたものである。その他の撮影条件は図７に示すものと同一である。
【００５６】
図１０は、比較例にかかる画像を示す。図１０に示す画像は、導光部材の背面に白色の紙を貼り付けた以外は上述した条件と同一の条件で導光部材の出射面を撮影したものである。そして上述の実施例と同様に、導光部材とＬＥＤ素子との距離を５０ｍｍ、１００ｍｍに設定して撮影を行った。
【００５７】
実施例にかかる図７乃至９の画像と、比較例にかかる図１０の画像を比較すると、実施例にかかる画像の方が、光の線がより遠くまで延びており、かつ明瞭になっていることが分かる。また、導光部材の背面に反射性材料である白色の紙を配置した場合には、導光部材と背面の紙との間での乱反射から生じているであろう、垂直方向に延びる光の線までもが投影されていることが明確に判別できる。
【符号の説明】
【００５８】
１，３１，７１    照明装置
３５，７５    導光部材
３９，４１，７７，７９    ＬＥＤアレイ
【図１】
2019121511.tif 000003
【図２】
2019121511.tif 000004
【図３】
2019121511.tif 000005
【図４】
2019121511.tif 000006
【図５】
2019121511.tif 000007
【図６】
2019121511.tif 000008
【図７】
2019121511.tif 000009
【図８】
2019121511.tif 000010
【図９】
2019121511.tif 000011
【図１０】
2019121511.tif 000012